(57)【要約】      （修正有）【課題】終焉を迎えたときや海外での拉致等生命の危機状態にあるが死亡していない状態および死亡時に、自分の登録データを引き出して欲しい人にのみデータを引き出せる、データバンクシステムを提供する。【解決手段】パスワード不要のデータバンクシステムは、利用者のデータ（テキスト、音声、写真等）を利用者ＩＤ（利用者が任意の文字列で作成）と利用者のメールアドレスのみで預かり、当該データを利用者が開示してもよいと考える第三者に、利用者が開示してもよいと考える時期に開示する。【選択図】なし【特許請求の範囲】
【請求項１】
利用者のデータ（テキスト、音声、写真等）を利用者ＩＤ（利用者が任意の文字列で作成）と利用者のメールアドレスのみで預かり、当該データを利用者が開示してもよいと考える第三者に、利用者が開示してもよいと考える時期に開示できるシステムを提供する。
【発明の詳細な説明】
【技術分野】
【０００１】
本発明は、利用者のデータ（テキスト、音声、写真等）を利用者ＩＤ（利用者が任意の文字列で作成）と利用者のメールアドレスのみで預かり、当該データを利用者が開示してもよいと考える第三者に、利用者が開示してもよいと考える時期に開示できるシステムを提供する。
【背景技術】
【０００２】
たとえば、自分の生と終焉を書き綴る「エンディングノート」。自分の万が一の対応や、感謝の気持ちを書いた大切なノートであるため、つい厳重に保管してしまう。
厳重に保管したがため、エンディングノートが見つかったのは、葬儀も終わり、四十九日も終えたあと・・・。遺族が「こんな送られ方を考えていたんだ・・・」と分かっても後の祭りである。  大切に保管することは大事なことであるが、一方で、いざというときに見つけてもらいやすい場所に保管しておくことも必要である。
とはいえ、生前にエンディングノートが見つかってしまうのは困る・・・というジレンマにおちいってしまう。
前述の状況に対処する方法として、「エンディングシートは金庫に保管してあり、金庫の暗証番号はｘｘｘｘなので、自分にもしものことがあった場合には取り出してほしい」と近親者に事前に伝えておいても、暗証番号を失念しエンディングシートを取り出せなかったり、自分が終焉を迎える前にエンディングシートを読まれる可能性がある。
また、財産情報や近親者へのお別れの言葉をシムテム上で預かるサービスが存在するが、近親者へ当該システムに前述の情報を預けている旨を伝えておき、本人の死亡後近親者が当該システム会社に電話し、システム会社が登録者本人の死亡を確認した上で本人が生前に開示を希望していた者にのみ情報が引き渡されるといった煩雑な手続きが必要な上に本人の「死亡後」にしか情報を引き出すことができない。
つまり、終焉を迎えたときや海外での拉致等生命の危機状態にあるが死亡していない状態および死亡時に、自分の登録データ（自らを手動で登録したデータだけでなく、スマホ等を利用して毎時の位置情報等の自動登録データも含む）を、引き出して欲しい人にのみデータを引き出せる仕組みが現状は存在せず、本発明はこれを解決するシステムである。
また、当システムは個人の氏名、住所等を一切保持せず、保管するデータに個人情報や資産情報を登録しなければ、万が一データが流出した場合でも、流出データが詐欺等に利用される可能性が極めて低い点も評価できる。
（個人情報や資産情報が記入されたノートの場所のみを保管データとすればよいのである。）
【先行技術文献】
【特許文献】
【０００３】
【特許文献１】特開2002ー328992（P2002-328992A）
【非特許文献】
【０００４】
【非特許文献１】エンディングバンクシステム（https://www.ending-bank.jp/pages/about/）（https://www.ending-bank.jp/pages/faq/）
【発明の概要】
【発明が解決しようとする課題】
【０００５】
当システムは、インターネット上に当発明で構築したシステムへアクセスし、データ登録者が作成した利用者ＩＤ（利用者が任意の文字列で作成）を入力するだけでデータを引き出すことができるため、パスワードの失念がない代わりに、以下の課題が存在する。
（課題１）データ登録者が利用者ＩＤを教えている者はいつでもデータを引き出せてしまう。
（課題２）利用者ＩＤを何らかの理由で知ってしまった者はいつでもデータを引き出せてしまう。
（課題３）データ登録者がデータを引き出してほしい時期（終焉時、死亡時、故意ではなく消息不明となったとき）以外にデータを引き出せてしまう。
【課題を解決するための手段】
【０００６】
（解決手段１）
データ引き出し時には、ある程度高額なクレジットカード決済金額（例：10,000円）を設定する。
これにより冷やかしでデータを引き出させない抑止力となる。
（解決手段２）
・クレジットカード決済を行った引き出し者のメールアドレスに、保管されているデータが届くのはカード決済の２４時間（例）後とする。
・カード決済直後に、決済カード名義とデータ引き出し処理が行われたことをデータ登録者にメール送信する。
・データ引き出し処理用のカード決済前に、以下のメッセージを表示する。
「カード決済後、あなたがデータ引き出し処理を行ったことは即座にデータ登録者にメール送信されます。  あなたが保管されているデータをメールで受け取るのはカード決済の２４時間（例）後です。  データ登録者が２４時間（例）以内にデータ内容の修正もしくは削除を行った場合、あなたが受け取るデータは、登録者が２４時間以内に修正したデータもしくは「登録者が○○月○○日  ○○時○○分にデータを削除しました。」のメッセージになります。」
したがって、以下の場合に引き出し処理を実施すると考えられる。なぜならば、その他の状況下で引き出し処理を試みても引き出し者が欲するデータを取得できる可能性が極めて低いと論理的に理解できるためである。
・データ登録者が死亡した（している）場合
・データ登録者が意識不明、痴呆等の状態にあり、引き出し処理後２４時間以内にデータ内容の変更または消去を実施する
ことが不可能と考える場合。
・データ登録者が故意ではなく消息不明になっている場合。
【発明の効果】
【０００７】
終焉を迎えたときや海外での拉致等生命の危機状態にあるが死亡していない状態および死亡時に、自分の登録データ（自らを手動で登録したデータだけでなく、スマホ等を利用して毎時の位置情報等の自動登録データも含む）を引き出して欲しい人にのみデータを引き出せる仕組みが構築できる。
【図面の簡単な説明】
【０００８】
【図１】（Ａ）データ登録者。（Ｂ）本発明により構築されたシステム。（Ｃ）データ引き出し者。（イ）利用者ＩＤ取得、利用者メールアドレスおよびデータ登録実施。（ロ）データが登録されると、利用者メールアドレスに登録データが送信される。（ハ）必要に応じてデータの上書き登録。（ニ）登録済みデータの削除。（ホ）データの引き出し（本人、他人ともに引き出し可能）。（ヘ）引き出し処理直後に、決済カード名義とデータ引き出し処理が行われたことがデータ登録者にメール送信される。（ト）引き出し処理実施者に現在のデータを見せたくない場合の処理の実施（データの変更、削除）。（チ）データ引き出し処理から２４時間（例）後、データ引き出し処理者のメールアドレスに現時点のデータもしくは「登録者が○○月○○日  ○○時○○分にデータを削除しました。」のメッセージが送信される。（リ）メールアドレス変更処理。（ヌ）メールアドレス変更完了メールを新旧メールアドレスに送信。（ル）定期的に（年に１回程度等）メールアドレス存在（生存）確認メール送信。（ヲ）生存通知が指定期間内に返信されなかった場合、登録されているデータは削除される。
【発明を実施するための形態】
【０００９】
以下、図１を参照して本発明の実施の形態について詳細に説明する。
（Ａ）データ登録者。
（Ｂ）本発明により構築されたシステム。
（Ｃ）データ引き出し者。
（イ）利用者ＩＤ取得、利用者メールアドレスおよびデータ登録実施．．いたずら防止とひとりのデータ登録者が多数の利用者ＩＤを取得することを抑止するために少額課金可能。
（ロ）データが登録されると、即座に利用者メールアドレスに登録データが送信され、データが登録されたことを本人が確認できる。
（ハ）必要に応じてデータの上書き登録．．（必要に応じて課金）上書き登録リンクが利用者メールアドレスに送信される。メール内の上書き登録画面表示リンクをクリックし上書き登録画面でデータを上書き登録する。ただし前回登録したデータは機密保持のため表示されない。上書きしたデータが登録されると、即座に利用者メールアドレスに上書き登録データが送信され、データが上書き登録されたことを本人が確認できる。
（ニ）登録済みデータの削除。登録済みデータ削除リンクが利用者メールアドレスに送信される。メール内のデータ削除リンクをクリックして登録済みのデータを削除する。データが削除されると、即座に削除が完了したことが利用者メールアドレスに送信されデータが削除されたことを本人が確認できる。
（ホ）データの引き出し（本人、他人ともに引き出し可能）．．当システムにアクセスし、 （データ登録者から教えてもらっている）ユーザＩＤを入力する。
（ホ−１）データが削除されている場合は「データが削除されているので、データを引き出すことはできません」と表示され、以降の処理には進めない。
（ホ−２）データが存在する場合は、次のメッセージが表示される。「データが存在します。「カード決済後、あなたがデータ引き出し処理を行ったことは即座にデータ登録者にメール送信されます。  あなたが保管されているデータをメールで受け取るのはカード決済の２４時間（例）後です。  データ登録者が２４時間（例）以内にデータ内容の修正もしくは削除を行った場合、あなたが受け取るデータは、登録者が２４時間以内に修正したデータもしくは「登録者が○○月○○日  ○○時○○分にデータを削除しました。」のメッセージになります。この内容に承諾してカード決済を行いデータを取得しますか？」
データを引き出す場合は、カード決済処理を行う。
データを引き出さない場合は、以降の処理に進めない。
（ヘ）引き出し処理直後に、決済カード名義とデータ引き出し処理が行われたことがデータ登録者にメール送信される。
（ト）引き出し処理実施者に現在のデータを見せたくない場合は、登録データ上書き（必要に応じて課金）、もしくは登録済みデータ削除（課金しない。クレジットカードを携帯していない可能性があるため）を行なう。現在のデータを見せてよい場合は２４時間（例）何もせず放置しておく。
（チ）データ引き出し処理から２４時間（例）後、データ引き出し処理者のメールアドレスに現時点のデータもしくは「登録者が○○月○○日  ○○時○○分にデータを削除しました。」のメッセージが送信される。
（リ）メールアドレス変更処理（必要に応じて課金）。
（ヌ）メールアドレス変更完了メールを新旧メールアドレスに送信。
（ル）定期的に（年に１回程度等）メールアドレス存在（生存）確認メール送信。メール本文内の生存リンクを１ヶ月（例）以内にクリックすることで、当該メールアドレスの生存をシステムに通知する。
（ヲ）生存通知が指定期間内に返信されなかった場合、登録されているデータは削除される（ユーザIDは有効のままにしておくので、再度データの上書き登録は可能）。
【実施例】
【００１０】
本発明は、利用者のデータ（テキスト、音声、写真等）を利用者ＩＤ（利用者が任意の文字列で作成）と利用者のメールアドレスのみで預かり、当該データを利用者が開示してもよいと考える第三者に、利用者が開示してもよいと考える時期に開示開示できる。
実施例として以下が考えられる。
（１）エンディングシートの保管先をデータとして登録する。
（例）「２階の机の一番下の引き出しの中にある黄色い表紙のノートがエンディングシートです。」
（例）「エンディングシートは金庫内に入っています。暗証番号はＸＸＸＸです。」
（２）遺言状の保管先をデータとして登録する。
（３）海外旅行に行ったとき、スマホアプリ（製作が必要）からＧＰＳ情報を定期的にデータとして登録する。
（４）大規模震災で被災した場合に備えて、親族や生前お世話になった方たちへの感謝の言葉をデータとして登録する。
【産業上の利用可能性】
【００１１】
実施例に挙げたシステムを構築した場合、開発費、運用保守費がまかなえる以上のユーザ数が見込まれる可能性は高い。
【符号の説明】
【００１２】
なし。
【図１】
2020187503.tif 000002